(57)【要約】【課題】  回転エネルギーの損失を抑えた回転システムを提供することにある。【解決手段】  円筒状で、一端の中心軸に回転駆動手段の駆動軸が連結された回転枠と、回転枠の他端の中心軸と同軸で設けられた固定軸と、回転枠の内側に設けられ、外輪が回転枠の内周に固定され、内輪が固定軸に固定されたベアリングとを備え、回転枠に、負荷が固定されていることを特徴し、また、回転枠の外周に、軸受が設けられていることを特徴とし、さらに回転枠の外周に、軸受が設けられていることを特徴とする。【選択図】図１
2015116111.tif 000002
【特許請求の範囲】
【請求項１】
回転駆動手段により、重量物である負荷を回転させるための回転システムにおいて、
円筒状で、一端の中心軸に該回転駆動手段の駆動軸が連結された回転枠と、
該回転枠の他端の中心軸と同軸で設けられた固定軸と、
該回転枠の内側に設けられ、外輪が該回転枠の内周に固定され、内輪が該固定軸に固定されたベアリングとを備え、
該回転枠に、該負荷が固定されていることを特徴とする回転システム。
【請求項２】
前記回転枠の外周に前記負荷が固定され、該負荷が固定された外周の内側の内周に、前記ベアリングが配設されていることを特徴とする請求項１記載の回転システム。
【請求項３】
前記回転枠の外周に、軸受が設けられていることを特徴とする請求項１記載の回転システム。
【請求項４】
前記回転枠の外周に前記負荷が固定され、該負荷の近傍の該回転枠の外周に軸受が設けられ、
前記ベアリングが、該回転枠の該軸受が設けられた該外周の内側の内周に配設されていることを特徴とする請求項１記載の回転システム。
【発明の詳細な説明】
【技術分野】
【０００１】
本発明は、回転駆動手段により、重量物である負荷を回転させるための回転システムに関する。
【背景技術】
【０００２】
従来より、送風機の羽や発電機の回転子のような重量物である負荷をモータ等の回転駆動手段により回転させる回転システムが、用いられている。この回転システムでは、回転駆動手段の回転軸に直接負荷を接続して回転させる場合が多い。また、その回転軸を軸受であるベアリングで保持し、円滑に回転軸が回転するようにしている（特許文献１を参照）。
【先行技術文献】
【特許文献】
【０００３】
【特許文献１】特開２００３−３４３４８７号公報
【発明の概要】
【発明が解決しようとする課題】
【０００４】
しかしながら、従来の回転システムでは、回転軸を直接軸受のみで保持していることから、軸受に掛かる負担が大きく、軸受部分で回転エネルギーを損失する割合も大きい。
【０００５】
本発明は、このような事情に鑑みてなされたもので、回転エネルギーの損失を抑えた回転システムを提供することにある。
【課題を解決するための手段】
【０００６】
請求項１記載の回転システムは、円筒状で、一端の中心軸に回転駆動手段の駆動軸が連結された回転枠と、回転枠の他端の中心軸と同軸で設けられた固定軸と、回転枠の内側に設けられ、外輪が回転枠の内周に固定され、内輪が固定軸に固定されたベアリングとを備え、回転枠に、負荷が固定されていることを特徴とする。
【０００７】
請求項２記載の回転システムは、回転枠の外周に負荷が固定され、負荷が固定された外周の内側の内周に、ベアリングが配設されていることを特徴とする。
【０００８】
請求項３記載の回転システムは、回転枠の外周に、軸受が設けられていることを特徴とする。
【０００９】
請求項４記載の回転システムは、回転枠の外周に負荷が固定され、負荷の近傍の回転枠の外周に軸受が設けられ、ベアリングが、回転枠の軸受が設けられた外周の内側の内周に配設されていることを特徴とする。
【発明の効果】
【００１０】
請求項１に記載の発明によれば、固定軸にベアリングを介して回転自在に保持された回転枠が回転駆動されることで負荷が回転することから、回転エネルギーの損失を抑えることが可能である。
【００１１】
請求項２に記載の発明によれば、回転枠の外周に負荷が固定され、負荷が固定された外周の内側の内周に、ベアリングが配設されていることから、負荷の荷重をベアリング自体で保持することにもなり、回転エネルギーの損失をより抑えることが可能である。
【００１２】
請求項３に記載の発明によれば、回転枠の外周に、軸受が設けられていることから、回転枠が安定的に回転しやすくなり、回転エネルギーの損失をより抑えることが可能である。
【００１３】
請求項４に記載の発明によれば、回転枠の外周に負荷が固定され、負荷の近傍の回転枠の外周に軸受が設けられ、ベアリングが、回転枠の軸受が設けられた外周の内側の内周に配設されていることから、回転枠がより安定的に回転しやすくなり、回転エネルギーの損失をより抑えることが可能である。
【図面の簡単な説明】
【００１４】
【図１】本発明に係る回転システムの第１の実施例を示す説明図である。
【図２】第１の回転システムの他の例を示す説明図である。
【図３】本発明に係る回転システムの第２の実施例を示す説明図である。
【図４】第２の回転システムの他の例を示す説明図である。
【発明を実施するための形態】
【００１５】
本願に係る回転システムは、送風機の羽や発電機の回転子のような重量物である負荷をモータ等の回転駆動手段により回転させるものである。尚、モータ等の回転駆動手段自体も回転システムであり、自らが回転するものであっても、本願発明を用いて回転システムを構成することが可能であり、回転システムであれば、その形態により制限されるものではない。
【実施例１】
【００１６】
以下、本発明の実施例１について図面を参照しながら具体的に説明する。図１は、本発明に係る回転システムの第１の実施例を示す説明図である。図２は、同第１の回転システムの他の例を示す説明図である。図１における、回転システム１は、回転駆動手段であるモータ１０、回転枠３０、固定基台２０、固定軸２２、ベアリング３２等で構成されている。尚、以降の説明では、回転駆動手段としてモータ１０のみで説明しているが、回転駆動手段としてはモータ１０のみではなく、他の回転駆動が可能な手段であれば、その形態によって制限されるものではない。
【００１７】
回転システム１における回転枠３０は、円筒状で、一端が塞がれ、その塞がれた一端の中心、すなわち回転枠３０の一端の回転中心に、継手３４を介してモータ１０の駆動軸１２が連結されている。尚、駆動軸１２は、軸受１４で保持されている。
【００１８】
回転枠３０の駆動軸１２との逆側の他端側の中心軸と同軸で、固定軸２２が配設されている。固定軸２２は、固定基台２０によって、回転しないように固定されている。そして、ベアリング３２が、回転枠３０の内側に設けられ、ベアリング３２の外輪３２ａが回転枠３０の内周に固定され、内輪３２ｂが固定軸２２に固定されている。尚、ベアリング３２の位置は、回転枠３０の内周の任意の位置であってもよいが、本実施例の回転システム１では、負荷６が固定された回転枠３０の外周の内側の内周に、配設されている。
【００１９】
そして、回転枠３０の外周に、負荷６が継手４６を介して固定されており、モータ１０の駆動軸１２が回転することにより、回転枠３０が固定軸２２の外側で回転し、回転枠３０の回転により負荷６が回転駆動されることになる。
【００２０】
また、図２に示す回転システム２は、複数の負荷６，８を回転枠４０の外周に設けて回転させるものである。回転枠４０は、上述の回転枠３０と同様の構造であるが、複数の負荷６，８を保持する関係で、軸方向に長くなっている。また、固定軸２４も、回転枠４０が長くなったのに合わせて、長くなっている。
【００２１】
回転システム２の回転枠４０の一端は、回転システム１と同様に、モータ１０の駆動軸１２が連結されている。そして、回転枠４０の駆動軸１２との逆側の他端側の中心軸と同軸で、固定軸２４が配設されている。固定軸２４は、固定基台２０によって、回転しないように固定されている。そして、ベアリング４２，４４が、回転枠４０の内側の固定基台２０に近い方に設けられ、ベアリング４２，４４の外輪４２ａ，４４ａが回転枠４０の内周に固定され、内輪４２ｂ，４４ｂが固定軸２４に固定されている。そして、回転枠４０の固定基台２０に近い方の外周に、負荷６が継手４６を介して固定されている。尚、ベアリング４２，４４の位置は、回転システム２では、負荷６が固定された回転枠４０の外周の内側の内周に、配設されている。
【００２２】
また、ベアリング３２が、回転枠４０の内側の駆動軸１２に近い方に設けられ、ベアリング３２の外輪３２ａが回転枠４０の内周に固定され、内輪３２ｂが固定軸２４に固定されている。そして、回転枠４０の駆動軸１２に近い方の外周に、負荷８が継手３６を介して固定されている。尚、ベアリング３２の位置は、回転システム２では、負荷８が固定された回転枠４０の外周の内側の内周に、配設されている。そして、モータ１０の駆動軸１２が回転することにより、回転枠４０が固定軸２４の外側で回転し、回転枠４０の回転により負荷６，８が回転駆動されることになる。
【００２３】
このような構成の回転システム１，２によれば、固定軸２２，２４にベアリング３２，４２，４４を介して回転自在に保持された回転枠３０，４０が回転駆動されることで負荷６，８が回転することから、回転エネルギーの損失を抑えることが可能である。
【００２４】
また、回転枠３０，４０の外周に負荷６，８が固定され、負荷６，８が固定された外周の内側の内周に、ベアリング３２，４２，４４が配設されるようにすることで、負荷６，の荷重をベアリングベアリング３２，４２，４４自体で保持することにもなり、回転エネルギーの損失をより抑えることが可能である。
【実施例２】
【００２５】
以下、本発明の実施例２について図面を参照しながら具体的に説明する。図３は、本発明に係る回転システムの第２の実施例を示す説明図である。図４は、第２の回転システムの他の例を示す説明図である。図３における、回転システム３は、回転駆動手段であるモータ１０、回転枠５０、固定基台２０、固定軸２６、ベアリング５２，５４、軸受５６等で構成されている。
【００２６】
回転システム３における回転枠５０は、円筒状で、一端が塞がれ、その塞がれた一端の中心、すなわち回転枠５０の一端の回転中心に、継手３４を介してモータ１０の駆動軸１２が連結されている。
【００２７】
回転枠５０の駆動軸１２との逆側の他端側の中心軸と同軸で、固定軸２６が配設されている。固定軸２６は、固定基台２０によって、回転しないように固定されている。そして、ベアリング５２，５４が、回転枠５０の内側に設けられ、ベアリング５２，５４の外輪５２ａ，５４ａが回転枠５０の内周に固定され、内輪５２ｂ，５４ｂが固定軸２６に固定されている。尚、ベアリング５２，５４の位置は、回転枠５０の内周の任意の位置であってもよいが、本実施例の回転システム３では、負荷６が固定された回転枠５０の外周の内側から外れた脇の内周に、配設されている。
【００２８】
また、回転枠５０の外周のベアリング５２，５４が、軸受５６，５８で回転枠５０を回転自在に保持している。そして、回転枠５０の外周に、負荷６が継手４６を介して固定されており、モータ１０の駆動軸１２が回転することにより、回転枠５０が固定軸２６の外側で回転し、回転枠５０の回転により負荷６が回転駆動されることになる。
【００２９】
図４に示す回転システム４は、図３と構成されるものは同一であるが、ベアリング５２，５４の位置が、図３の回転システム３とは異なっている。すなわち、回転システム３では、ベアリング５２，５４は、負荷６の真下ではなく外れた位置に設けられ、回転システム４では、ベアリング５２，５４が、負荷６が固定された回転枠５０の外周の内側の内周に、配設されている。
【００３０】
このような構成の回転システム３，４によれば、実施例１の回転システム１，２の効果に加え、回転枠５０の外周に、軸受５６，５８が設けられていることから、回転枠５０が安定的に回転しやすくなり、回転エネルギーの損失をより抑えることが可能である。
【００３１】
さらに、回転枠５０の外周に負荷６が固定され、負荷６の近傍の回転枠５０の外周に軸受５６，５８が設けられ、ベアリング５２，５４を、回転枠５０の軸受５６，５８が設けられた外周の内側の内周に配設することで、回転枠５０がより安定的に回転しやすくなり、回転エネルギーの損失をより抑えることが可能である。
【産業上の利用可能性】
【００３２】
以上のように、本発明によれば、回転エネルギーの損失を抑えた回転システムを提供することができる。
【符号の説明】
【００３３】
１・・・・・回転システム
２・・・・・回転システム
３・・・・・回転システム
４・・・・・回転システム
６・・・・・負荷
８・・・・・負荷
１０・・・・モータ
１２・・・・駆動軸
１４・・・・軸受
２０・・・・固定基台
２２・・・・固定軸
２４・・・・固定軸
２６・・・・固定軸
３０・・・・回転枠
３２・・・・ベアリング
３２ａ・・・外輪
３２ｂ・・・内輪
３４・・・・継手
３６・・・・継手
４０・・・・回転枠
４２・・・・ベアリング
４２ａ・・・外輪
４２ｂ・・・内輪
４４・・・・ベアリング
４４ａ・・・外輪
４４ｂ・・・内輪
４６・・・・継手
５０・・・・回転枠
５２・・・・ベアリング
５２ａ・・・外輪
５２ｂ・・・内輪
５４・・・・ベアリング
５４ａ・・・外輪
５４ｂ・・・内輪
５６・・・・軸受
５８・・・・軸受
【図１】
2015116111.tif 000003
【図２】
2015116111.tif 000004
【図３】
2015116111.tif 000005
【図４】
2015116111.tif 000006